(57)【要約】  化粧料や医薬品基剤等として広く使用することができる安全性、保存安定性、及び汎用性を有し、生産性に優れたゲル状組成物を提供する。本発明のゲル状組成物は、下記式（１）      ＲＯ−（Ｃ3Ｈ6Ｏ2）ｎ−Ｈ        （１）（式中、ＲＯは炭素数１２〜２２のアルコキシ基を示す。ｎはグリセリンの重合度を示し、４〜１００である）で表されるポリグリセリンモノアルキルエーテルを０．１〜２０重量％、該ポリグリセリンアルキルエーテルの含有量に対し０．６５〜１．５倍重量の水性成分、及び油性成分を５０〜９９．８３５重量％含有する。【特許請求の範囲】
【請求項１】
下記式（１）
ＲＯ−（Ｃ3Ｈ6Ｏ2）ｎ−Ｈ        （１）
（式中、ＲＯは炭素数１２〜２２のアルコキシ基を示す。ｎはグリセリンの重合度を示し、４〜１００である）
で表されるポリグリセリンモノアルキルエーテルを０．１〜２０重量％、該ポリグリセリンアルキルエーテルの含有量に対し０．６５〜１．５倍重量の水性成分、及び油性成分を５０〜９９．８３５重量％含有するゲル状組成物。
【請求項２】
式（１）中、Ｒがラウリル基、ミリスチル基、パルミチル基又はオレイル基である請求項１に記載のゲル状組成物。
【請求項３】
水性成分が、水及び／又は多価アルコールである請求項１又は２に記載のゲル状組成物。
【請求項４】
無色透明を呈する請求項１〜３の何れかの項に記載のゲル状組成物。
【請求項５】
請求項１〜４の何れかの項に記載のゲル状組成物を含む化粧料。
【発明の詳細な説明】
【技術分野】
【０００１】
本発明は、安全性の高いポリグリセリンモノアルキルエーテルを含有するゲル状組成物に関する。更に詳細には、化粧料や医薬品基剤等として有用なゲル状組成物に関する。
【背景技術】
【０００２】
ゲル状組成物は、化粧料、医薬品基剤、食品等に多用されている。従来、ゲル状組成物には、界面活性剤としてアルキル硫酸塩、ポリオキシエチレンアルキルエーテル硫酸エステル塩、ポリオキシエチレンアルキルエーテルリン酸エステル塩、及び、α−オレフィンスルホン酸塩などのアニオン性界面活性剤が広く使われてきた。しかし、これらの界面活性剤は、程度の差はあるが、いずれも皮膚刺激性を有する点が問題であった。【０００３】
また、非特許文献１には、界面活性剤としてポリオキシエチレン系非イオン性界面活性剤を使用することが記載されている。しかし、ポリオキシエチレン系非イオン性界面活性剤は、分子鎖中に親水性基としてエチレンオキシド鎖を有しているので、エチレンオキシド鎖が経時的に分解してゲル形成能が低下してしまう恐れがあるうえ、エチレンオキシドの分解生成物であるホルマリンの溶出や、それによるｐＨの低下などの恐れもある。そのため、用途に制約がある点が問題であった。【０００４】
さらに、非特許文献２において、ポリグリセリン脂肪酸エステルを界面活性剤として使用することが検討されているが、親水基をクロマト分離して高分子量化しなければならず、工業的に実施することが困難であった。すなわち、化粧料や医薬品基剤として広く使用することができる安全性、汎用性を有し、工業的に容易に製造することができるゲル状組成物が未だ見いだされていないのが現状である。
【先行技術文献】
【非特許文献】
【０００５】
【非特許文献１】J.Colloid Inteerface Sci.,223,197(2000)
【非特許文献２】日本油化学会誌 49(6),617(2000)
【発明の概要】
【発明が解決しようとする課題】
【０００６】
従って、本発明の目的は、化粧料や医薬品基剤等として広く使用することができる安全性、保存安定性、及び汎用性を有し、生産性に優れたゲル状組成物を提供することにある。
本発明の他の目的は、前記ゲル状組成物を含有する化粧料を提供することにある。
【課題を解決するための手段】
【０００７】
本発明者は、上記課題を解決するため鋭意検討した結果、所定のポリグリセリンモノアルキルエーテルは安全性が高く、界面活性剤として使用することにより得られるゲル状組成物は、容易に調製することができ、皮膚に対する作用が温和であり、保存安定性に優れることを見出した。また、ポリグリセリンモノアルキルエーテル、油性成分、及び水性成分を特定の割合で含有すると、三次元高次構造を有するキュービック液晶相を形成することができ、伸びが良く使用感が良好なゲル状組成物を形成することができることを見出した。本発明はこれらの知見に基づいて完成させたものである。【０００８】
すなわち、本発明は下記式（１）
ＲＯ−（Ｃ3Ｈ6Ｏ2）ｎ−Ｈ        （１）
（式中、ＲＯは炭素数１２〜２２のアルコキシ基を示す。ｎはグリセリンの重合度を示し、４〜１００である）
で表されるポリグリセリンモノアルキルエーテルを０．１〜２０重量％、該ポリグリセリンアルキルエーテルの含有量に対し０．６５〜１．５倍重量の水性成分、及び油性成分を５０〜９９．８３５重量％含有するゲル状組成物を提供する。【０００９】
式（１）中、Ｒはラウリル基、ミリスチル基、パルミチル基又はオレイル基であることが好ましい。【００１０】
水性成分としては、水及び／又は多価アルコールが好ましい。【００１１】
また、ゲル状組成物は無色透明を呈することが好ましい。【００１２】
本発明は、また、上記ゲル状組成物を含む化粧料を提供する。
【発明の効果】
【００１３】
本発明に係るゲル状組成物は、安全で経時安定性に優れる、所定のポリグリセリンモノアルキルエーテルを界面活性剤として使用するため、実質的に他の成分を用いなくても油性成分がキュービック液晶相中に安定に分散されている状態を維持することができる。そのため、本発明に係るゲル状組成物は、皮膚に対する作用が温和で、極めて安全性に優れる上に、調製が容易である。本発明のゲル組成物は、特に化粧料の用途に好適に使用することができる。
【発明を実施するための形態】
【００１４】
本発明のゲル状組成物は、ポリグリセリンモノアルキルエーテルを０．１〜２０重量％、該ポリグリセリンアルキルエーテルの含有量に対し０．６５〜１．５倍重量の水性成分、及び油性成分を５０〜９９．８３５重量％を含有する。
【００１５】
［ポリグリセリンモノアルキルエーテル］
本発明のゲル状組成物は、ポリグリセリンモノアルキルエーテルを０．１〜２０重量％（好ましくは、１〜１０重量％）含有することを特徴とする。ポリグリセリンアルキルエーテルは、水性成分、油性成分とともに、ミセルが立方晶型に充填した界面活性剤集合体であるキュービック液晶を形成することができ、それにより、非常に粘性が高い等方性のゲル状組成物を形成することができる。
【００１６】
本発明のポリグリセリンモノアルキルエーテルは、下記式（１）
ＲＯ−（Ｃ3Ｈ6Ｏ2）ｎ−Ｈ        （１）
（式中、ＲＯは炭素数１２〜２２のアルコキシ基を示す。ｎはグリセリンの重合度を示し、４〜１００である）
で表すことができる。
【００１７】
式（１）の括弧内のＣ3Ｈ6Ｏ2は、下記式（２）及び（３）で示される両方の構造を有する。
−ＣＨ2−ＣＨＯＨ−ＣＨ2Ｏ−        （２）
−ＣＨ（ＣＨ2ＯＨ）ＣＨ2Ｏ−        （３）
【００１８】
ＲＯは炭素数１２〜２２のアルコキシ基を示す。Ｒとしては、炭素数１２〜２２の脂肪族炭化水素基を示し、例えば、ｎ−ドデシル（ｎ−ラウリル）、ｎ−トリデシル、ｎ−テトラデシル（ｎ−ミリスチル）、ｎ−ペンタデシル、ｎ−ヘキサデシル、ｎ−ヘプタデシル、ｎ−オクタデシル、ｎ−ノナデシル、ｎ−イコシル、ｎ−ヘンイコシル、ｎ−ドコシル基などの直鎖状アルキル基；ｎ−ドデセニル、ｎ−トリデセニル、ｎ−テトラデセニル、ｎ−ペンタデセニル、ｎ−ヘキサデセニル、ｎ−ヘプタデセニル、ｎ−オクタデセニル（ｎ−オレイル）、ｎ−ノナデセニル、ｎ−イコセニル、ｎ−ヘンイコセニル、ｎ−ドコセニル基等の直鎖状アルケニル基などを挙げることができる。
【００１９】
本発明におけるＲとしては、なかでも、炭素数１４〜１８の直鎖状アルキル基又はアルケニル基（特に、ｎ−ラウリル、ｎ−ミリスチル、ｎ−パルミチル、ｎ−オレイル基）が好ましい。
【００２０】
式（１）中、ｎはグリセリン重合度を示し、４〜１００程度であり、なかでも６〜４０が好ましく、特に８〜２０が好ましい。ｎが上記範囲を下回ると、非連続キュービック液晶の代わりにヘキサゴナル液晶を形成するためゲルの調製が困難となる傾向がある。一方、ｎが上記範囲を上回ると、水溶性が高くなり過ぎＷ／Ｏ型（油中水型）エマルジョンを形成するためゲルの調製が困難となる傾向がある。
【００２１】
本発明におけるポリグリセリンモノアルキルエーテルとしては、例えば、デカグリセリンモノミリスチルエーテル、デカグリセリンモノラウリルエーテル、デカグリセリンモノパルミチルエーテル、デカグリセリンモノオレイルエーテル等を挙げることができる。これらは単独で、又は２種以上を混合して使用することができる。
【００２２】
ポリグリセリンモノアルキルエーテルの製造方法としては、特に限定されることがなく、例えば、（１）塩基性触媒の存在下、脂肪族アルコールに、該脂肪族アルコール／グリシドール（モル比）が特定の値となるような割合でグリシドールを添加して反応させる方法、（２）ポリグリセリンにα−オレフィンエポキシドを反応させる方法、（３）酸触媒若しくはアルカリ触媒の存在下、アルキルグリシジルエーテルをポリグリセリンを使用して開環させる方法等が挙げられる。本発明においては、なかでも、不純物の生成有無の観点から、上記（１）が好ましい。
【００２３】
［水性成分］
本発明において水性成分とは、水、又は水と混合した時にあらゆる比率で均一溶液となる成分をいう。本発明で使用される水性成分としては特に制限はなく、化粧品、医薬品、食品などの用途に応じた品質の水性成分を適宜選択して使用することができ、例えば、水、多価アルコール等を挙げることができる。
【００２４】
水としては、硬水、軟水の何れでもよく、例えば、工業用水、水道水、イオン交換水、蒸留水、精製水などが挙げられる。
【００２５】
多価アルコールとしては、例えば、グリセリン、ジグリセリン、エチレングリコール、ジエチレングリコール、プロピレングリコール、ポリエチレングリコール、１，３−ブチレングリコール、イソプレングリコール、ソルビトール、ソルビタン、マルチトール、トレハロース、キシリトール、グルコース、エリスリトール、ペンタエリスリトール、ネオペンチルグリコール、ショ糖、マンニトール、グルコン酸、ジプロピレングリコール、ヘキシレングリコール、ポリフェノール等を挙げることができる。これらは単独で、又は２種以上を組み合わせて使用することができる。
【００２６】
本発明における水性成分としては、なかでも、水を使用することが好ましく、水と多価アルコールを併用してもよい。水性成分の配合量は、用途に応じて適宜調整することができ、ポリグリセリンアルキルエーテルの含有量に対し０．６５〜１．５倍重量程度であり、好ましくは０．９〜１．１倍重量である。
【００２７】
［油性成分］
本発明で使用される油性成分としては、常温（２０℃±１５℃）で液体状態を呈するものであればよく、天然油脂であっても合成油脂であってもよい。油性成分としては、例えば、ヘプタン、オクタン、デカン、ヘキサデカン、流動パラフィン、スクワレン、スクワラン、プリスタンなどの飽和又は不飽和高級脂肪族炭化水素類；アボガド油、ツバキ油、タートル油、マカダミアナッツ油、トウモロコシ油、ミンク油、オリーブ油、菜種油、卵黄油、ごま油、パーシック油、小麦胚芽油、サザンカ油、ヒマシ油、アマニ油、サフラワー油、綿実油、エノ油、大豆油、落花生油、茶実油、カヤ油、米ぬか油、シナギリ油、日本キリ油、ホホバ油、胚芽油、トール油などの動植物性油脂類；オクチルドデカノール、オレインアルコール、ミリスチルアルコールなどの高級アルコール；オレイン酸、ミリスチン酸、イソステアリン酸などの高級脂肪酸；メチルポリシロキサン、メチルフェニルポリシロキサン、メチルハイドロジェンポリシロキサン、デカメチルポリシロキサン、デカメチルシクロペンタシロキサンなどのシリコン油；オクタン酸セチル、ミリスチン酸イソプロピル、パルミチン酸イソプロピル、ラウリン酸ヘキシル、オレイン酸オレイル、オレイン酸デシル、ミリスチン酸オクチルドデシル、ジメチルオクタン酸ヘキシルデシル、フタル酸ジエチル、フタル酸ジブチル、トリオクタン酸グリセリン、トリイソパルミチン酸グリセリン、２−エチルヘキサン酸トリグリセリド、カプリン酸トリグリセリドなどのエステルなどが挙げられる。また、本発明における油脂としては、上記油脂に水素添加、分離などの処理を施して得られるものであってもよい。これらは単独で、又は２種以上を組み合わせて使用することができる。
【００２８】
油性成分の配合量としては、最終組成物の重量に対する重量％で、通常５０〜９９．８３５重量％、好ましくは６０〜９５重量％である。
【００２９】
本発明のゲル状組成物には、ポリグリセリンモノアルキルエーテル、水性成分、及び油性成分以外に、本発明の目的を達成する範囲で他の成分を適宜配合することができる。他の成分としては、例えば、化粧料、医薬品などに一般に使用される薬剤、防腐剤、着色料、着香料、保湿剤、紫外線吸収剤、エッセンシャルオイル、ワックス、脂肪酸およびそのアルコールとのエステル、ビタミン類、抗酸化剤、飽和、不飽和の高級アルコール、炭化水素類、保存料、殺菌料等を挙げることができる。
【００３０】
本発明のゲル状組成物の調製は、例えば、以下の工程により行うことができる。
（１）まず、ポリグリセリンモノアルキルエーテルと水性成分を適切な割合で混合し、キュービック液晶を形成するミセル溶液を調製する。ここでミセルとは界面活性剤が親水基を水側に向け疎水基を内側に向けて集まった集合体をいう。
（２）得られたミセル溶液に油性成分を添加して撹拌を行う。これにより、キュービック液晶相中に油性成分を含有させたゲル状組成物を形成することができる。尚、撹拌は振盪によって行っても良く、強力な機械撹拌によって行っても良い。本発明においては、なかでも、強力な機械撹拌が好ましい。
【００３１】
ゲルを形成することができる自己組織体としてはキュービック液晶、ラメラ液晶、ヘキサゴナル液晶などが挙げられるが、本発明のゲル状組成物は、ポリグリセリンモノアルキルエーテルが光学的に等方性なキュービック液晶を形成するため、油性成分を多量に含有することが可能となり、非常に粘度の高いゲルを形成することができる。また、キュービック液晶相中に油性成分を含有することにより、安定に分散することができ、相分離することなく安定したゲル状態を維持することができる。
【００３２】
キュービック液晶の構造には４種類存在することが知られている。ミセルが立方晶に充填したdiscontinuous micellar cubic相（Ｉ１）、水も界面活性剤集合体も連続した構造を持ち、界面活性剤分子層の曲率がやや正であるnormal bicontinuous cubic相（Ｖ１）、Ｖ１と同様の構造であるが、界面活性剤分子層の曲率がやや負であるreverse bicontinuous cubic相（Ｖ２）および球状の逆ミセルが立方晶に充填したdiscontinuous reverse micellar cubic相(Ｉ２)である。ここで界面活性剤分子層の曲率は水に対して凸の場合を正、凹の場合を負とする。本発明のキュービック液晶としては、上記のいずれの種類でもよいが、好ましくは、discontinuous micellar cubic相（Ｉ１）である。
【００３３】
本発明のゲル状組成物は、無色透明又は半透明の何れであっても良いが、なかでも、商品イメージの観点から無色透明であることが好ましい。尚、本発明において無色透明とは全光線透過率８０％以上のものをいう。ゲル状組成物の透明性は、各成分の配合比を適宜調整することにより向上させることができる。
【００３４】
本発明にかかるゲル状組成物は、安全性及び保存安定性に優れる。また、伸びが良く、皮膚に対する作用が温和であるため使用感に優れる。そのため、本発明に係るゲル状組成物は、特に限定されることなく、広く、化粧料、消臭剤、入浴剤、芳香剤、脱臭剤、食品、医薬品などの常温（２０℃±１５℃）でゲル状を呈する各種製品に用いることができる。本発明のゲル組成物は、なかでも、油分補給用化粧料、保湿用化粧料、血行促進用化粧料、洗浄剤、浴用化粧料、クレンジング剤（メイク落とし）、マッサージ剤、パック化粧料、頭髪化粧料などの化粧料；皮膚科用医薬品基剤などの医薬品基剤の用途に好適に使用することができ、特に化粧料の用途に適している。
【実施例】
【００３５】
以下、実施例により本発明をより具体的に説明するが、本発明はこれらの実施例により限定されるものではない。【００３６】
実施例１〜１０、比較例１〜８
室温（２５℃）において、下記表１に記載した割合（重量％）で界面活性剤と水性成分を混合し、その後、室温（２５℃）にてホモジナイザーで撹拌しながら油性成分を少しずつ加えて透明のゲル状組成物を得た。【００３７】
＜Ｘ線回折＞
上記実施例及び比較例においてゲル状組成物を得る途中の段階、すなわち、油性成分を１０重量％程度加えた段階のゲル状組成物について、Ｘ線正角散乱装置（商品名「ＳＷＸＤ」、（株）リガク製）を使用して散乱角度を測定し、下記方法により評価した。
評価基準
discontinuous micellar cubic相（Ｉ１）を形成している：○
discontinuous micellar cubic相（Ｉ１）を形成していない：×【００３８】
＜保存安定性＞
上記実施例及び比較例において得られたゲル状組成物を、直径１０ｍｍ、長さ８ｃｍのガラス管に封入し、２５℃に設定した恒温水槽中に浸漬して６ヶ月保存し、ガラス管内のゲル状組成物の分離の有無を、目視観察して下記基準により評価した。
評価基準
油性成分の分離なし：○
油性成分の分離あり：×【００３９】
【表１】
2011040256.tif 000002
【産業上の利用可能性】
【００４０】
本発明に係るゲル状組成物は、所定のポリグリセリンモノアルキルエーテルを界面活性剤として使用するため、油性成分がキュービック液晶相中に安定に分散されている状態を維持することができる。そのため、皮膚に対する作用が温和で、極めて安全性に優れる上に、調製が容易である。本発明のゲル組成物は、油分補給用化粧料、保湿用化粧料、血行促進用化粧料、洗浄剤、浴用化粧料、クレンジング剤（メイク落とし）、マッサージ剤、パック化粧料、頭髪化粧料などの化粧料；皮膚科用医薬品基剤などの医薬品基剤の用途に好適に使用することができる。
【国際調査報告】
2011040256.tif 000003
2011040256.tif 000004
2011040256.tif 000005
2011040256.tif 000006
2011040256.tif 000007
2011040256.tif 000008
2011040256.tif 000009